(57)【要約】【課題】大きさを変えることなく、永久磁石片の断面積を増加させて大きな二次電圧および二次エネルギーを得ることのできる内燃機関用点火コイルを提供する。【解決手段】一次コイル１４および二次コイル１６が巻かれた積層センタ鉄心部１８の一端１８ａと、積層センタ鉄心部１８が内側に配置される積層環状鉄心部１９との間に永久磁石片を配置した内燃機関用点火コイル１１において、積層センタ鉄心部１８の一端１８ａの面を積層センタ鉄心部１８の幅方向へ２つの平面１８ｂ，１８ｃに分割して積層環状鉄心部１９側へ突出するように形成し、積層センタ鉄心部１８の一端１８ａと対向する積層環状鉄心部１９の部分を、２つの平面１８ｂ，１８ｃと対向する２つの平行対向平面１９ｂ，１９ｃで形成される凹み１９ａとし、平面１８ｂ，１８ｃと平行対向平面１９ｂ，１９ｃとの間にそれぞれ永久磁石片２０Ｂ，２０Ｃを配置する。【選択図】図１
2007335569.tif 000002
【特許請求の範囲】
【請求項１】
一次コイルおよび二次コイルが巻かれたセンタ鉄心部の一端と、前記センタ鉄心部が内側に配置される環状鉄心部との間に永久磁石片を配置した内燃機関用点火コイルにおいて、
前記センタ鉄心部の一端の面を前記センタ鉄心部の幅方向へ複数の平面に分割して前記環状鉄心部側へ突出するように形成し、
前記センタ鉄心部の一端と対向する前記環状鉄心部の部分を、前記複数の平面と対向する複数の対向平面で形成される凹みとし、
前記各平面と前記各対向平面との間にそれぞれ永久磁石片を配置した、
ことを特徴とする内燃機関用点火コイル。
【請求項２】
一次コイルおよび二次コイルが巻かれたセンタ鉄心部の一端と、前記センタ鉄心部が内側に配置される環状鉄心部との間に永久磁石片を配置した内燃機関用点火コイルにおいて、
前記センタ鉄心部の一端の面を前記センタ鉄心部の幅方向へ複数の平面に分割して前記環状鉄心部側へ突出する近似半円筒面となるように形成し、
前記センタ鉄心部の一端と対向する前記環状鉄心部の部分を、前記複数の平面と対向する複数の対向平面で形成される近似半円筒面を有する凹みとし、
前記各平面と前記各対向平面との間にそれぞれ永久磁石片を配置した、
ことを特徴とする内燃機関用点火コイル。
【発明の詳細な説明】
【技術分野】
【０００１】
この発明は、自動車のエンジンなどの内燃機関の点火プラグに、火花放電を発生させるための高電圧を供給する内燃機関用点火コイルに関するものである。
【背景技術】
【０００２】
図２は上記した内燃機関用点火コイルの概略構成を示す断面図である。
【０００３】
図２おいて、１１は内燃機関用点火コイルを示し、絶縁ケース１２と、この絶縁ケース１２内に収容された、一次コイルボビン１３の外周に巻かれた一次コイル１４、二次コイルボビン１５の外周に巻かれた二次コイル１６、および、一次コイル１４と二次コイル１６とを磁気的に結合し、閉磁路を形成する積層鉄心１７と、絶縁ケース１２の側面に位置するソケット部１２ｓに設けられた複数の低圧端子（一次端子）２１と、絶縁ケース１２の下端部に位置する筒状の高圧タワー部１２ｔ内に、高圧タワー部１２ｔ内を閉塞するように、例えば、圧入などによって取り付けられた高圧端子（二次端子）２２と、絶縁ケース１２内に注入（充填）されて固化することにより、絶縁ケース１２内に収容された各部品相互の高電圧絶縁を行う絶縁材、例えば、熱硬化性樹脂などの絶縁樹脂２３とで構成されている。
そして、積層鉄心１７は、一次、二次コイルボビン１３，１５および一次、二次コイル１４，１６を貫通する積層センタ鉄心部１８と、この積層センタ鉄心部１８が内側に位置し、一次、二次コイルボビン１３，１５および一次、二次コイル１４，１６を囲む積層環状鉄心部１９とで構成されている。
２０は永久磁石片を示し、積層センタ鉄心部１８の一端の面（一端面）と、積層環状鉄心部１９の内側面との間に、一次コイル１４に通電した場合に積層センタ鉄心部１８内に発生する磁束と逆方向の磁束を積層センタ鉄心部１８内に発生させるように、配置されている。
なお、一次コイル１４、二次コイル１６、複数の低圧端子２１、高圧端子２２は、所定の回路を構成するように接続されている（例えば、特許文献１参照。）。
【０００４】
図３は従来の積層鉄心および永久磁石片の一例を示す斜視図であり、図２と同一または相当部分に同一符号を付し、その説明を省略する。
【０００５】
図３において、積層センタ鉄心部１８の一端部は、対向する積層環状鉄心部１９（の内側面）へ向けて順次左右方向（積層環状鉄心部１９の環状方向）へ幅を増加させることによって断面積が増加している。
【０００６】
【特許文献１】特開２００４−３６３３５７号公報
【発明の開示】
【発明が解決しようとする課題】
【０００７】
従来の内燃機関用点火コイル１１は、一次コイル１４に通電した場合に積層センタ鉄心部１８内に発生する磁束と逆方向の磁束を積層センタ鉄心部１８内に発生するように、積層センタ鉄心部１８の一端面と、積層環状鉄心部１９の内側面との間に永久磁石片２０を配置し、一次コイル１４の通電を遮断したときの磁束変化を大きくさせることにより、大きな二次電圧および二次エネルギーを得るようにしている。
しかしながら、積層センタ鉄心部１８の一端面と、積層環状鉄心部１９の内側面との対向面積が大きくなると、永久磁石片２０の断面積も大きくなることにより、永久磁石片２０が割れ易くなり、また、永久磁石片２０の磁力が大きくなるため、永久磁石片２０の製造工程、例えば、切削、着磁などの工程における生産歩留まりが悪化し、永久磁石片２０の製造コストが高くな（上昇す）る。
【０００８】
この発明は、上記したような不都合を解消するためになされたもので、大きさを変えることなく、永久磁石片の断面積を増加させて大きな二次電圧および二次エネルギーを得ることのできる内燃機関用点火コイルを提供するものである。
【課題を解決するための手段】
【０００９】
この発明は、以下のような発明である。
（１）一次コイルおよび二次コイルが巻かれたセンタ鉄心部の一端と、前記センタ鉄心部が内側に配置される環状鉄心部との間に永久磁石片を配置した内燃機関用点火コイルにおいて、前記センタ鉄心部の一端の面を前記センタ鉄心部の幅方向へ複数の平面に分割して前記環状鉄心部側へ突出するように形成し、前記センタ鉄心部の一端と対向する前記環状鉄心部の部分を、前記複数の平面と対向する複数の対向平面で形成される凹みとし、前記各平面と前記各対向平面との間にそれぞれ永久磁石片を配置したことを特徴とする。
（２）一次コイルおよび二次コイルが巻かれたセンタ鉄心部の一端と、前記センタ鉄心部が内側に配置される環状鉄心部との間に永久磁石片を配置した内燃機関用点火コイルにおいて、前記センタ鉄心部の一端の面を前記センタ鉄心部の幅方向へ複数の平面に分割して前記環状鉄心部側へ突出する近似半円筒面となるように形成し、前記センタ鉄心部の一端と対向する前記環状鉄心部の部分を、前記複数の平面と対向する複数の対向平面で形成される近似半円筒面を有する凹みとし、前記各平面と前記各対向平面との間にそれぞれ永久磁石片を配置したことを特徴とする。
【発明の効果】
【００１０】
この発明によれば、センタ鉄心部の一端の面をセンタ鉄心部の幅方向へ複数の平面に分割して環状鉄心部側へ突出するように形成し、センタ鉄心部の一端と対向する環状鉄心部の部分を、複数の平面と対向する複数の対向平面で形成される凹みとし、各平面と各対向平面との間にそれぞれ永久磁石片を配置したので、または、センタ鉄心部の一端の面をセンタ鉄心部の幅方向へ複数の平面に分割して環状鉄心部側へ突出する近似半円筒面となるように形成し、センタ鉄心部の一端と対向する環状鉄心部の部分を、複数の平面と対向する複数の対向平面で形成される近似半円筒面を有する凹みとし、各平面と各対向平面との間にそれぞれ永久磁石片を配置したので、内燃機関用点火コイルの大きさを変えることなく、永久磁石片の断面積を増加させることができることにより、内燃機関用点火コイルの二次電圧および二次エネルギーを大きくすることができ、また、永久磁石片を複数に分割することにより、各永久磁石片の大きさを小さくすることができるため、製造工程、例えば、切削、着磁などの工程における生産歩留まりが向上し、永久磁石片の製造コストが安くなるとともに、内燃機関用点火コイルの製造コストが安くなる。
【発明を実施するための最良の形態】
【００１１】
以下、この発明の実施例を図に基づいて説明する。
【００１２】
図１はこの発明の一実施例である内燃機関用点火コイルにおける積層鉄心および永久磁石片の一例を示す斜視図であり、図２および図３と同一または相当部分に同一符号を付し、その説明を省略する。
【００１３】
図１において、積層センタ鉄心部１８は、断面積を増加させた一端１８ａが積層環状鉄心部１９側へ突出するとともに、一端１８ａの面が積層センタ鉄心部１８の幅方向へ複数、例えば、２つの平面１８ｂ，１８ｃに分割して形成されている。
したがって、２つの平面１８ｂ，１８ｃは、積層センタ鉄心部１８の幅方向の両端から積層センタ鉄心部１８の幅方向の中央部分へ向けて積層環状鉄心部１９側へ突出する傾斜平面とされている。
また、積層環状鉄心部１９の、積層センタ鉄心部１８の一端１８ａと対向する部分は、２つの平面１８ｂ，１８ｃと平行で対向する２つの平行対向平面１９ｂ，１９ｃで形成される凹み１９ａとされている。
そして、平面１８ｂ，１８ｃと平行対向平面１９ｂ，１９ｃとの間、すなわち、平面１８ｂと平行対向平面１９ｂとの間に永久磁石片２０Ｂが配置されるとともに、平面１８ｃと平行対向平面１９ｃとの間に永久磁石片２０Ｃが配置されている。
なお、平面１８ｂ，１８ｃおよび平行対向平面１９ｂ，１９ｃは、同一軸を中心とした近似半円筒面を形成するように、すなわち、同一円上に平面１８ｂ，１８ｃの幅方向の端と、平面１８ｂ，１８ｃの交点とが位置し、平面１８ｂ，１８ｃの端が位置する円と同心円上に平行対向平面１９ｂ，１９ｃの幅方向の端と、平行対向平面１９ｂ，１９ｃの交点とが位置している。
【００１４】
この発明の一実施例によれば、一端１８ａの面を積層センタ鉄心部１８の幅方向へ２つの平面１８ｂ，１８ｃに分割して積層環状鉄心部１９側へ突出するように形成し、積層センタ鉄心部１８の一端１８ａと対向する積層環状鉄心部１９の部分を、２つの平面１８ｂ，１８ｃと平行で対向する２つの平行対向平面１９ｂ，１９ｃで形成される凹み１９ａとし、平面１８ｂと平行対向平面１９ｂとの間に永久磁石片２０Ｂを配置するとともに、平面１８ｃと平行対向平面１９ｃとの間に永久磁石片２０Ｃを配置したので、大きさを変えることなく、永久磁石片２０Ｂ，２０Ｃの断面積を増加させることができる。
したがって、内燃機関用点火コイルの大きさを変えることなく、永久磁石片２０Ｂ，２０Ｃの断面積を増加させることができることにより、内燃機関用点火コイルの二次電圧および二次エネルギーを大きくすることができる。
また、２つの永久磁石片２０Ｂ，２０Ｃに分割することにより、各永久磁石片２０Ｂ，２０Ｃの大きさを小さくすることができるため、製造工程、例えば、切削、着磁などの工程における生産歩留まりが向上し、永久磁石片２０Ｂ，２０Ｃの製造コストが安くなるとともに、内燃機関用点火コイルの製造コストが安くなる。
【００１５】
上記した実施例では、鉄心を積層センタ鉄心部１８と、積層環状鉄心部１９とで構成した例を示したが、鉄心を、例えば、金属ブロックで形成されたセンタ鉄心部および環状鉄心部で構成したり、焼成金属ブロックで形成されたセンタ鉄心部および環状鉄心部で構成するなど、他の構成としてもよい。
また、積層センタ鉄心部１８と、積層環状鉄心部１９とを単体とした例を示したが、環状鉄心部を複数に分割した構成にしたり、環状鉄心部を複数に分割するとともに、複数に分割した環状鉄心部の一部分にセンタ鉄心部を一体的に設けた構成とするなど、他の構成としてもよい。
また、２つの平面１８ｂ，１８ｃと２つの平行対向平面１９ｂ，１９ｃとの間に永久磁石片２０Ｂ，２０Ｃを配置した例を示したが、平面と平行対向平面とは２つ以上の同数であれば、３つ、４つ、５つでも、それ以上の複数でもあってもよく、平面と平行対向平面とを２つ以上の複数とする場合、各平面と平行対向平面とを、同一軸を中心とした近似半円筒面を形成するように設けるのが望ましい。
また、平面１８ｂ，１８ｃおよび平行対向平面１９ｂ，１９ｃが同一軸を中心とした近似半円筒面を形成する例を示したが、複数の平面が近似半円筒面を形成するとともに、複数の平面と対向する対向平面が、複数の平面が形成する近似半円筒面と異なる軸の近似半円筒面を形成するように複数の平面および複数の対向平面を形成（設け）たり、平面と、この平面と対向する対向平面との組を複数形成（設け）ても、同様な効果を得ることができる。
また、積層センタ鉄心部１８の一端部を、対向する積層環状鉄心部１９（の内側面）へ向けて順次左右方向へ幅を増加させることによって断面積を増加させた例を示したが、センタ鉄心部の一端部の断面積を増加させないものであっても、すなわち、一端部の断面積が他の部分と同じ断面積のものにも適用することができる。
【図面の簡単な説明】
【００１６】
【図１】図１はこの発明の一実施例である内燃機関用点火コイルにおける積層鉄心および永久磁石片の一例を示す斜視図である。
【図２】内燃機関用点火コイルの概略構成を示す断面図である。
【図３】従来の積層鉄心および永久磁石片の一例を示す斜視図である。
【符号の説明】
【００１７】
１１    内燃機関用点火コイル
１２    絶縁ケース
１２ｓ  ソケット部
１２ｔ  高圧タワー部
１３    一次コイルボビン
１４    一次コイル
１５    二次コイルボビン
１６    二次コイル
１７    積層鉄心
１８    積層センタ鉄心部
１８ａ  一端
１８ｂ  平面
１８ｃ  平面
１９    積層環状鉄心部
１９ａ  凹み
１９ｂ  平行対向平面
１９ｃ  平行対向平面
２０    永久磁石片
２０Ｂ  永久磁石片
２０Ｃ  永久磁石片
２１    低圧端子（一次端子）
２２    高圧端子（二次端子）
２３    絶縁樹脂（絶縁材）
【図１】
2007335569.tif 000003
【図２】
2007335569.tif 000004
【図３】
2007335569.tif 000005